(57)【要約】 【課題】  音声の品質を向上させ、音声を聞き取りやすくすることができる通信装置、通信システムおよび通信方法を提供する。【解決手段】  移動局用アンテナ４９および高周波受信部５０が、他の通信装置である基地局通信装置３２から音声信号の音声特性を表す音声パラメータ、具体的には利得データおよび周波数特性データを受信したとき、この受信した音声パラメータに基づいて、マイク４１によって入力された音声を表す音声信号の音声特性、具体的には音声信号の利得が利得調整部４２によって調整され、音声信号の周波数特性が周波数特性調整部４３によって調整される。【選択図】      図２
2008103960.tif 000002
【特許請求の範囲】
【請求項１】
音声を信号に変換して入力する音声入力手段と、
他の通信装置と通信可能な通信手段と、
通信手段が他の通信装置から音声信号の音声特性を表す音声パラメータを受信したとき、受信した音声パラメータに基づいて、音声入力手段によって入力された音声信号の音声特性を調整する特性調整手段とを備えることを特徴とする通信装置。
【請求項２】
特性調整手段は、音声信号の利得および／または周波数特性を表す音声パラメータを通信手段が受信したとき、受信した音声パラメータに基づいて、音声入力手段によって入力された音声信号の利得および／または周波数特性を調整することを特徴とする請求項１記載の通信装置。
【請求項３】
音声が信号に変換されて入力される音声入力側通信装置と、音声信号が音声に変換されて出力される音声出力側通信装置とを有し、音声入力側通信装置と音声出力側通信装置とが相互に通信可能な通信システムであって、
音声入力側通信装置は、
音声を信号に変換して入力する音声入力手段と、
音声出力側通信装置と通信可能な入力側通信手段と、
入力側通信手段が音声出力側通信装置から音声信号の音声特性を表す音声パラメータを受信したとき、受信した音声パラメータに基づいて、音声入力手段によって入力された音声信号の音声特性を調整する特性調整手段とを備え、
音声出力側通信装置は、
音声入力側通信装置と通信可能な出力側通信手段と、
音声信号の音声特性を表す音声パラメータを入力するパラメータ入力手段と、
パラメータ入力手段によって入力された音声パラメータを音声入力側通信装置に送信するように、出力側通信手段を制御する制御手段と、
出力側通信手段が受信した音声信号が表す音声を出力する音声出力手段とを備えることを特徴とする通信システム。
【請求項４】
音声出力側通信装置は、
音声入力側通信装置の使用者を表す使用者データ、使用環境を表す環境データ、および音声入力手段の種別を表す種別データにそれぞれ対応付けられ、音声入力手段によって入力された音声信号の音声特性を調整するための音声パラメータを記憶する記憶手段をさらに備え、
音声入力側通信装置は、入力側通信手段によって、使用者データ、環境データおよび種別データのうち少なくともいずれか１つを音声出力側通信装置に送信し、
音声出力側通信装置の制御手段は、出力側通信手段が使用者データ、環境データおよび種別データのうち少なくともいずれか１つを受信すると、受信したデータに対応付けられた音声パラメータを記憶手段から読出して音声入力側通信装置に送信するように、出力側通信手段を制御し、
音声入力側通信装置の特性調整手段は、入力側通信手段が受信した音声パラメータに基づいて、音声入力手段によって入力された音声信号の利得および周波数特性の少なくともいずれか一方を調整することを特徴とする請求項３記載の通信システム。
【請求項５】
音声を信号に変換して入力する音声入力工程と、
他の通信装置から音声信号の音声特性を表す音声パラメータを受信したとき、受信した音声パラメータに基づいて、音声入力工程で入力された音声信号の音声特性を調整する特性調整工程とを含むことを特徴とする通信方法。
【発明の詳細な説明】
【技術分野】
【０００１】
本発明は、音声信号およびデータ信号を送受信する通信装置、通信システムおよび通信方法に関する。
【背景技術】
【０００２】
図１は、従来のデジタル無線機１の構成を簡略化して示すブロック図である。デジタル無線機１は、送信機１Ａおよび受信機１Ｂを含んで構成される。
【０００３】
送信機１Ａにおいて、マイクロフォン（以下「マイク」という）１１に入力された音声が表す音声信号は、第１送信側アンプ１２によって増幅された後、フィルタ１３によって、音声信号に含まれる不要な信号が減衰され、送信側ＰＣＭコーディック１４のアナログ／デジタル（Ａ／Ｄ）変換処理によってデジタル信号に変換されて、送信側音声コーディック１５に与えられる。送信側音声コーディック１５では、入力された音声データを圧縮し、送信側ＤＳＰ１６に与える。送信側ＤＳＰ１６では、圧縮された音声データを所定のデジタル変調方式に基づいて送信ベースバンド信号に変換する。また高周波送信部１７では、予め定める発振周波数の発振信号と、生成した変調波とを乗算して周波数変換をする。その後、周波数変換された信号は、第２送信側アンプ１８によって所望の信号強度にまで増幅され、送信側アンテナ１９から他のデジタル無線機に対して送信される。
【０００４】
受信機１Ｂにおいて、他のデジタル無線機から送信され、受信側アンテナ２１によって受信した信号は、第１受信側アンプ２２によって増幅された後、高周波受信部２３に与えられる。高周波受信部２３では、予め定める発信周波数の発振信号と、第１受信側アンプ２２から与えられる信号とを乗算して周波数変換をする。受信側ＤＳＰ２４では、周波数変換された信号を音声データに復調し、復調した音声データを受信側音声コーディック２５に与える。受信側音声コーディック２５では、受信側ＤＳＰ２４から与えられ、圧縮されている音声データの伸長処理をして、受信側ＰＣＭコーディック２６のデジタル／アナログ（Ｄ／Ａ）変換処理によってアナログ信号に変換後、第２受信側アンプ２７に与える。第２受信側アンプ２７によって増幅された音声信号はスピーカ２８に与えられ、音声信号の表す音声がスピーカ２８から出力される。
【０００５】
無線機のマイクに音声を入力する場合、マイクとその使用者の口元との距離は、使用者毎に異なり、マイクを口元に近づけた状態でマイクに音声を入力する使用者もいれば、マイクを口元から遠ざけた状態でマイクに音声を入力する使用者もいる。マイクを口元に近づけた状態、さらに言えばマイクと口元との距離が比較的小さい状態では、音声がマイクに過大入力され、特にデジタル無線機では、過大入力された音声を圧縮するときに音質が劣化しやすく、スピーカから出力される音声が歪み、使用者にとって聞き取りにくい場合がある。また使用者が発する音声の高低および速度の違いによっても、聞き取りにくい場合がある。
【０００６】
そこで、スピーカなどから出力される音声の聴感性を向上させるための技術が提案されており、この技術はたとえば特許文献１〜５に開示されている。特許文献１には、携帯電話端末の周囲雑音に従って音量レベルを基地局で調整する技術が開示されている。
【０００７】
特許文献２には、定期的に移動局から基地局を介して制御局への試験用の折返信号を送信し、制御局ではこの折返信号を検出して制御局内部で折返し、再度基地局を介して移動局に返送することによって、定期的に通話路のレベル変動を検出し、移動局の通話路の受話音量を調整して一定の聞きやすい音量に制御する技術が開示されている。
【０００８】
特許文献３には、音声認識回路が、スピーカから出力される基準音をマイクロフォンを介して受信してフィルタの入出力特性パラメータを計算するように構成され、この計算されたパラメータに応じてフィルタの入出力特性を調整する技術が開示されている。
【０００９】
特許文献４には、マイクロフォンユニットと音声増幅部との間に音圧調整器を設けることによって、マイクロフォンユニットへの入力音圧レベルの大小にかかわらず、送信される音声信号の音圧レベルを一定レベルに自動調整する技術が開示されている。
【００１０】
特許文献５には、セルラ無線通信システムの基地局もしくは制御局から送られる音質の異なる複数種の聴感測定用可聴信号の聴取結果を基に、使用者が所望の聴感特性に応じた受話周波数特性を設定できる技術が開示されている。
【００１１】
【特許文献１】特許第３４１６４６９号公報
【特許文献２】特開平１１−１５４９０１号公報
【特許文献３】特開平４−３２９７４０号公報
【特許文献４】特開平８−１９５６８５号公報
【特許文献５】特許第３３０２１１９号公報
【発明の開示】
【発明が解決しようとする課題】
【００１２】
音声は、使用者によって音量および周波数成分がそれぞれ異なるので、無線機に設けられる固定の音声回路では、全ての使用者の利得および周波数特性に対応することができず、全ての使用者の音声を聞き取りやすくすることはできないという問題がある。
【００１３】
無線機にＡＬＣ（Automatic Level Control）回路を備えて、マイクに入力される音声の利得を制御する技術では、音声がマイクに過大入力されることによってスピーカから出力される音声が歪むことは解消できるけれども、使用者の周波数特性に応じた聞き取りやすい音声を出力させることはできない。
【００１４】
また送信先の無線機から送信される音声信号を受信して、イコライザを用いて音質を調整したとしても、送信元の無線機から送信される音声信号が歪んでいるので、使用者が聞き取りやすい音質に調整することは困難である。さらに無線機に用いられるマイクの種類によって、それぞれ異なる周波数特性を有するので、マイクの種類に応じた周波数特性に調整することができる装置が要望されている。
【００１５】
本発明の目的は、音声の品質を向上させ、音声を聞き取りやすくすることができる通信装置、通信システムおよび通信方法を提供することである。
【課題を解決するための手段】
【００１６】
本発明（１）に従えば、音声入力手段によって音声が信号に変換されて入力される。通信手段が他の通信装置から音声信号の音声特性を表す音声パラメータを受信したとき、特性調整手段は、受信した音声パラメータに基づいて、音声入力手段によって入力された音声信号の音声特性を調整する。
【発明の効果】
【００１７】
本発明（１）によれば、音声入力手段によって入力された音声信号の音声特性は、通信手段が他の通信装置から音声信号の音声特性を表す音声パラメータを受信したとき、受信した音声パラメータに基づいて、特性調整手段によって調整される。これによって特性調整手段によって音声特性が調整された音声信号を、たとえば他の通信装置に送信することによって、他の通信装置では音声特性が調整された音声信号を受信し、この受信した音声信号が表す音声を出力することが可能となる。
【００１８】
したがって他の通信装置から出力される音声の品質を、通信装置の特性調整手段によって音声特性が調整される前の音声信号が表す音声に比べて向上することができる。これによって他の通信装置の使用者は、通信装置の特性調整手段によって音声特性が調整される前の音声信号が表す音声が出力される場合に比べて、出力される音声が聞き取りやすくなる。これによって他の通信装置の使用者の利便性を向上することができる。
【発明を実施するための最良の形態】
【００１９】
以下に、本発明を実施するための複数の形態について説明する。以下の説明において、先行する形態で説明している事項に対応する部分については同一の参照符を付し、重複する説明を略する場合がある。構成の一部のみを説明している場合、構成の他の部分は、先行して説明している形態と同様とする。以下の説明は、通信方法についての説明をも含む。
【００２０】
図２は、本発明の実施の一形態である通信システム３０の電気的構成を示すブロック図である。通信システム３０は、移動局通信装置３１および基地局通信装置３２を備えて構成される。移動局通信装置３１と、基地局通信装置３２とは、相互に無線通信可能に構成されている。本実施の形態の移動局通信装置３１は、たとえば車両に搭載され、移動可能に構成されている。本実施の形態の基地局通信装置３２は、たとえば各車両に対して配車指示および車両の運行管理を行う配車センタに備えられる。移動局通信装置３１は、通信装置および音声入力側通信装置に相当し、基地局通信装置３２は、他の通信装置および音声出力側通信装置に相当する。
【００２１】
移動局通信装置３１は、マイクロフォン（以下「マイク」という）４１、利得調整部４２、周波数特性調整部４３、ＰＣＭ（Pulse Code Modulation）コーディック部４４、音声コーディック部４６、デジタル変調部４７、高周波送信部４８、移動局用アンテナ４９、高周波受信部５０、復調部５１、移動局側データ処理部５２、移動局側制御部５３、データ入出力部５５および移動局側記憶部５６を備える。
【００２２】
マイク４１は、入力された音声を音声信号に変換し、その音声信号を利得調整部４２に与える。利得調整部４２は、移動局側制御部５３から与えられる音声パラメータ、具体的には音声信号の利得を表す利得データに基づいて、マイク４１から与えられる音声信号の利得を調整する。利得調整部４２は、たとえば電子ボリュームを用いて音声信号の利得を調整する。利得調整部４２によって利得が調整された音声信号は、周波数特性調整部４３に与えられる。
【００２３】
周波数特性調整部４３は、後述する移動局側制御部５３から与えられる音声パラメータ、具体的には音声信号の周波数特性を表す周波数特性データに基づいて、利得調整部４２から与えられる音声信号の周波数特性を調整する。周波数特性調整部４３は、たとえばアナログフィルタで構成され、フィルタの通過帯域特性を変化させて音質を調整する。周波数特性調整部４３によって周波数特性が調整された音声信号は、ＰＣＭコーディック部４４に与えられる。また周波数特性調整部４３は、ＤＳＰ（Digital Signal Processor）によるデジタルフィルタで実現されてもよい。この場合、周波数特性調整部４３は、ＰＣＭコーディック部４４の後段に配置し、ＰＣＭコーディック部４４によってデジタル信号に変換された音声信号の周波数特性を調整する。なお、利得調整部４２および周波数特性調整部４３は、マイク４１に内蔵する構成にすることも可能である。
【００２４】
ＰＣＭコーディック部４４は、アナログデジタル変換器（Analog-to-Digital Converter；略称：ＡＤＣ）を用いて、周波数特性調整部４３から与えられる音声信号に対してアナログ／デジタル（略称：Ａ／Ｄ）変換処理を施し、アナログ信号からデジタル信号に変換する。ＰＣＭコーディック部４４でデジタル信号に変換された音声信号は、音声コーディック部４６に与えられる。
【００２５】
音声コーディック部４６は、ＰＣＭコーディック部４４から与えられる音声信号を圧縮し、圧縮した音声データをデジタル変調部４７に与える。デジタル変調部４７は、ＤＳＰで実現される場合が多く、音声コーディック部４６から与えられる音声データを、所定のデジタル変調方式に基づいてデジタル変調波に変換する。またデジタル変調部４７は、データ入出力部５５から与えられるデータ信号、たとえば移動局通信装置３１の使用者を表す使用者データ、移動局通信装置３１の使用環境を表す環境データ、およびマイク４１の種別を表す種別データに基づく信号を、所定のデジタル変調方式に基づいてデジタル変調波に変換する。デジタル変調部４７で生成されたデジタル変調波は、デジタル／アナログ（略称：Ｄ／Ａ）変換処理によってアナログ信号に変換され、高周波送信部４８に与えられる。
【００２６】
さらに述べると、使用者データは、たとえば移動局通信装置３１が搭載される車両に乗車する乗務員の番号を表す乗務員番号データである。環境データは、たとえば移動局通信装置３１が搭載される車両の種類を表す車種データ、および移動局通信装置３１が搭載される車両の番号（以下「車番」という場合がある）を表す車番データである。種別データは、接話式のマイク、および固定式のマイクなどのマイクの種別を表すデータである。
【００２７】
高周波送信部４８は、局部発振器によって生成した予め定める発振周波数の発振信号と、デジタル変調部４７から与えられる変調波とを乗算して周波数変換をする。高周波送信部４８では、周波数変換された信号に含まれる不要な信号を減衰させ、その後パワーアンプなどによって所望の信号強度にまで信号を増幅し、この増幅した信号を移動局用アンテナ４９から基地局通信装置３２に対して送信する。
【００２８】
移動局用アンテナ４９によって受信された信号は、高周波受信部５０に与えられる。高周波受信部５０は、移動局用アンテナ４９によって受信された信号を、ローノイズアンプなどによって増幅した後、この増幅した信号に含まれる不要な信号を減衰させる。高周波受信部５０では、局部発振器によって生成した予め定める発信周波数の発振信号と、ローノイズアンプなどによって増幅され、不要な信号が減衰された信号とを乗算して周波数変換をする。高周波受信部５０では、周波数変換された信号から不要な周波数の信号を除去し、予め定める遮断周波数以下の周波数帯域の信号を通過させて、復調部５１に与える。
【００２９】
復調部５１は、高周波受信部５０から与えられる信号を、Ａ／Ｄ変換処理によってデジタル信号に変換し、所定のデジタル復調方式に基づいて音声信号またはデータ信号に復調し、復調したデータ信号を、移動局側データ処理部５２およびデータ入出力部５５に与える。
【００３０】
移動局側データ処理部５２は、復調部５１から与えられたデータ信号から、音声信号の音声特性を表す音声パラメータを抽出して、移動局側制御部５３に与える。
【００３１】
移動局側制御部５３は、マイクロコンピュータなどの処理回路によって実現される。移動局側制御部５３は、移動局側データ処理部５２から与えられるデータ信号であって、予め定める音声信号の音声特性を表す音声パラメータ、具体的には利得データに基づいて、マイク４１から与えられる音声信号の利得を利得調整部４２に調整させ、また音声パラメータ、具体的には周波数特性データに基づいて、利得調整部４２から与えられる音声信号の周波数特性を周波数特性調整部４３に調整させる。
【００３２】
データ入出力部５５には、移動局通信装置３１の外部の入力装置によって入力された使用者データである乗務員番号データ、環境データである車種データおよび車番データ、ならびにマイク４１の種別データが入力される。またデータ入出力部５５には、復調部５１から与えられる復調したデータ信号が入力される。
【００３３】
データ入出力部５５は、移動局側記憶部５６から読出されたデータ、たとえば移動局通信装置３１の使用者を表す使用者データ、移動局通信装置３１の使用環境を表す環境データ、およびマイク４１の種別を表す種別データに基づく信号をデジタル変調部４７に出力する。
【００３４】
移動局側記憶部５６は、データ入出力部５５に入力された使用者データである乗務員番号データ、環境データである車種データおよび車番データ、マイク４１の種別データを記憶する。また移動局側記憶部５６は、復調部５１から与えられるデータ信号が表すデータ、たとえば音声信号の音声特性を表す音声パラメータ、具体的には音声信号の利得を表す利得データおよび音声信号の周波数特性を表す周波数特性データを記憶する。
【００３５】
移動局側制御部５３は、移動局側記憶部５６に記憶される使用者データ、環境データおよび種別データのうち少なくともいずれか１つを、デジタル変調部４７および高周波送信部４８によって移動局用アンテナ４９から基地局通信装置３２に対して送信させる。
【００３６】
移動局通信装置３１は、無線通信によって基地局通信装置３２の使用者と通話を開始するときに使用者によって操作される通話開始キーと、通話を終了するときに使用者によって操作される通話終了キーとを、さらに備えている。移動局通信装置３１は、通話を行うときに、電波を送信する間だけプレスするプレス・ツー・トーク（略称：ＰＴＴ）キーを備える構成としてもよい。
【００３７】
基地局通信装置３２は、基地局用アンテナ６１、基地局側通信部６２、スピーカ６３、基地局側データ処理部６４、基地局側記憶部６５、基地局側制御部６６およびデータ入力部６７を備える。
【００３８】
基地局側通信部６２は、基地局用アンテナ６１によって受信された信号を増幅した後、この増幅した信号に含まれる不要な信号を減衰させ、局部発振器によって生成した予め定める発信周波数の発振信号と、前記の増幅されて不要な信号が減衰された信号とを乗算して周波数変換をする。
【００３９】
基地局側通信部６２では、周波数変換された信号から不要な周波数の信号を除去し、予め定める遮断周波数以下の周波数帯域の信号を通過させた後、Ａ／Ｄ変換処理によってデジタル信号に変換し、所定のデジタル復調方式に基づいて音声信号またはデータ信号に復調する。復調した音声信号は、スピーカ６３に与えられ、復調したデータ信号は、基地局側データ処理部６４に与えられる。スピーカ６３は、基地局側通信部６２から与えられた音声信号が表す音声を出力する。
【００４０】
基地局側データ処理部６４は、基地局側通信部６２から与えられたデータ信号から、移動局通信装置３１における使用者データを抽出する。基地局側制御部６６は、マイクロコンピュータなどの処理回路によって実現される。基地局側制御部６６は、基地局側データ処理部６４によって抽出された移動局通信装置３１の使用者データを、基地局側記憶部６５に記憶させる。
【００４１】
基地局側記憶部６５は、使用者データである乗務員番号データ、環境データである車種データおよび車番データ、ならびにマイク４１の種別データと、これらの各データに対応付けられ、マイク４１によって入力された音声を表す音声信号の音声特性を調整するための音声パラメータである利得データおよび周波数特性データとを記憶する。基地局側記憶部６５は、使用者データ、環境データおよび種別データのうち複数のデータが組合わされた場合の音声パラメータである利得データおよび周波数特性データも記憶する。
【００４２】
データ入力部６７は、たとえばキーボードによって実現される。データ入力部６７には、移動局通信装置３１から送信され、基地局用アンテナ６１および基地局側通信部６２によって受信した音声信号の音声特性を調整するための音声パラメータ、具体的には利得データおよび周波数特性データが入力される。基地局側制御部６６は、データ入力部６７によって入力された音声パラメータを基地局側データ処理部６４に与える。
【００４３】
基地局用アンテナ６１によって、使用者データ、環境データおよび種別データのうち少なくともいずれか１つを受信したとき、基地局側制御部６６は、受信したデータに対応付けられた音声パラメータである利得データおよび周波数特性データを、基地局側記憶部６５から読出して基地局側データ処理部６４に与える。
【００４４】
基地局側データ処理部６４は、基地局側記憶部６５から読出された音声パラメータである利得データおよび周波数特性データに基づく信号、ならびにデータ入力部６７によって入力された音声パラメータである利得データおよび周波数特性データに基づく信号を基地局側通信部６２に与える。
【００４５】
基地局側通信部６２は、基地局側データ処理部６４から与えられるデータ信号を、所定のデジタル変調方式に基づいて変調波を生成する。基地局側通信部６２は、生成した変調波をＤ／Ａ変換によってアナログ信号に変換した信号と、局部発振器によって生成した予め定める発振周波数の発振信号とを乗算して周波数変換をし、周波数変換された信号に含まれる不要な信号を減衰させ、その後パワーアンプなどによって所望の信号強度にまで信号を増幅し、この増幅した信号を基地局用アンテナ６１から移動局通信装置３１に対して送信する。
【００４６】
本実施の形態の移動局通信装置３１におけるマイク４１は、音声入力手段に相当し、デジタル変調部４７、高周波送信部４８、移動局用アンテナ４９、高周波受信部５０および復調部５１は、通信手段および入力側通信手段に相当する。利得調整部４２および周波数特性調整部４３は、特性調整手段に相当する。基地局通信装置３２における基地局側通信部６２は、出力側通信手段に相当し、データ入力部６７は、パラメータ入力手段に相当する。基地局通信装置３２における基地局側制御部６６は、制御手段に相当し、スピーカ６３は、音声出力手段に相当し、基地局側記憶部６５は、記憶手段に相当する。
【００４７】
図３は、マイク４１に入力される音声を表す音声信号の音声特性の調整処理に関する移動局側制御部５３の処理手順を示すフローチャートである。移動局通信装置３１に電源が投入されて起動し、通話開始キーが操作される条件で、音声特性の調整処理が開始する。音声特性の調整処理は、移動局側制御部５３によって実行される。音声特性の調整処理の開始後、ステップａ１に移行する。
【００４８】
ステップａ１では、マイク４１によって入力された音声を表す音声信号を、高周波送信部４８を介して移動局用アンテナ４９から基地局通信装置３２に送信させて、ステップａ２に移行する。ステップａ２では、移動局側記憶部５６に、音声信号の音声特性を表す音声パラメータが記憶されているか否かを判断し、記憶されていればステップａ３に移行し、記憶されていなければステップａ７に移行する。
【００４９】
ステップａ３では、移動局側記憶部５６から、音声パラメータを読出して、ステップａ４に移行する。ステップａ４では、移動局側記憶部５６から読出した音声パラメータ、具体的には利得データに基づいて、マイク４１から与えられる音声信号の利得を利得調整部４２に調整させ、周波数特性データに基づいて、マイク４１から与えられる音声信号の周波数特性を周波数特性調整部４３に調整させて、ステップａ５に移行する。
【００５０】
ステップａ５では、通話終了キーが操作されたか否かを判断し、操作されていればステップａ６に移行し、操作されていなければ操作されるまで待機する。通話終了キーが操作されるまでは、マイク４１によって入力された音声を表す音声信号を、基地局通信装置３２に送信することが可能である。
【００５１】
ステップａ６では、基地局通信装置３２の使用者との通話を終了することを表す通話終了情報を、高周波送信部４８を介して移動局用アンテナ４９から基地局通信装置３２に送信させる。ステップａ６の処理の終了後、すべての処理手順を終了する。
【００５２】
ステップａ７では、移動局用アンテナ４９によって音声パラメータを受信しているか否かを判断し、受信していればステップａ８に移行し、受信していなければステップａ９に移行する。ステップａ８では、移動局用アンテナ４９によって受信した音声パラメータ、具体的には利得データに基づいて、マイク４１から与えられる音声信号の利得を利得調整部４２に調整させ、周波数特性データに基づいて、マイク４１から与えられる音声信号の周波数特性を周波数特性調整部４３に調整させて、ステップａ９に移行する。
【００５３】
ステップａ９では、通話終了キーが操作されたか否かを判断し、操作されていればステップａ１０に移行し、操作されていなければステップａ７に戻る。
【００５４】
ステップａ１０では、基地局通信装置３２の使用者との通話を終了することを表す通話終了情報を、高周波送信部４８を介して移動局用アンテナ４９から基地局通信装置３２に送信させて、ステップａ１１に移行する。ステップａ１１では、移動局用アンテナ４９によって受信した音声パラメータを移動局側記憶部５６に記憶させる。ステップａ１１の処理の終了後、すべての処理手順を終了する。図３に示すフローチャートのステップａ１は、音声入力工程に相当し、ステップａ４およびステップａ８は、特性調整工程に相当する。
【００５５】
図４は、音声パラメータの送信処理に関する基地局側制御部６６の処理手順を示すフローチャートである。基地局通信装置３２に電源が投入されて起動している条件で、音声パラメータの送信処理が開始する。音声パラメータの送信処理は、基地局側制御部６６によって実行される。音声パラメータの送信処理の開始後、ステップｂ１に移行する。
【００５６】
ステップｂ１では、基地局用アンテナ６１によって音声信号を受信しているか否かを判断し、受信していればステップｂ２に移行し、受信していなければすべての処理手順を終了する。ステップｂ２では、基地局用アンテナ６１によって受信した音声信号が表す音声をスピーカ６３から出力させて、ステップｂ３に移行する。
【００５７】
ステップｂ３では、データ入力部６７によって音声パラメータが入力されているか否かを判断し、入力されていればステップｂ４に移行し、入力されていなければステップｂ５へ移行する。ステップｂ４では、データ入力部６７によって入力された音声パラメータを、基地局側通信部６２を介して基地局用アンテナ６１から移動局通信装置３１に送信させて、ステップｂ５に移行する。
【００５８】
ステップｂ５では、基地局用アンテナ６１によって通話終了情報を受信しているか否かを判断し、受信していればすべての処理手順を終了し、受信していなければステップｂ３に戻る。
【００５９】
前述のように本実施の形態の移動局通信装置３１および通信方法によれば、移動局用アンテナ４９および高周波受信部５０が、他の通信装置である基地局通信装置３２から音声信号の音声特性を表す音声パラメータ、具体的には利得データおよび周波数特性データを受信したとき、この受信した音声パラメータに基づいて、マイク４１によって入力された音声を表す音声信号の音声特性、具体的には音声信号の利得を利得調整部４２によって調整し、音声信号の周波数特性を周波数特性調整部４３によって調整する。
【００６０】
したがって移動局通信装置３１は、利得調整部４２および周波数特性調整部４３によって音声特性が調整された音声信号を、たとえば基地局通信装置３２に送信することによって、基地局通信装置３２では音声特性が調整された音声信号を受信し、この受信した音声信号が表す音声をスピーカ６３から出力することが可能となる。
【００６１】
したがって基地局通信装置３２のスピーカ６３から出力される音声の品質を、移動局通信装置３１の利得調整部４２および周波数特性調整部４３によって音声特性が調整される前の音声信号が表す音声に比べて向上することができる。
【００６２】
これによって基地局通信装置３２の使用者は、移動局通信装置３１の利得調整部４２および周波数特性調整部４３によって音声特性が調整される前の音声信号が表す音声が出力される場合に比べて、スピーカ６３から出力される音声を聞き取りやすくなるので、基地局通信装置３２の使用者の利便性を向上することができる。
【００６３】
前述のように本実施の形態の通信システム３０によれば、基地局通信装置３２のデータ入力部６７によって音声信号の音声特性を表す音声パラメータ、具体的には利得データおよび周波数特性データが入力されると、基地局側通信部６２は、前記入力された音声パラメータを移動局通信装置３１に送信するように、基地局側制御部６６によって制御される。移動局通信装置３１の移動局用アンテナ４９および高周波受信部５０が、基地局通信装置３２から音声信号の音声特性を表す音声パラメータを受信したとき、この受信した音声パラメータに基づいて、マイク４１によって入力された音声を表す音声信号の音声特性、具体的には音声信号の利得が利得調整部４２によって調整され、音声信号の周波数特性が周波数特性調整部４３によって調整される。
【００６４】
したがって移動局通信装置３１は、利得調整部４２によって利得が調整され、周波数特性調整部４３によって周波数特性が調整された音声信号を、基地局通信装置３２に送信することによって、基地局通信装置３２では、音声信号の音声特性である利得および周波数特性が調整された音声信号を受信し、この受信した音声信号が表す音声をスピーカ６３から出力することが可能となる。
【００６５】
したがって基地局通信装置３２のスピーカ６３から出力される音声の品質を、移動局通信装置３１の利得調整部４２および周波数特性調整部４３によって利得および周波数特性が調整される前の音声信号が表す音声に比べて向上することができる。これによって基地局通信装置３２の使用者は、移動局通信装置３１の利得調整部４２および周波数特性調整部４３によって利得および周波数特性が調整される前の音声信号が表す音声がスピーカ６３から出力される場合に比べて、スピーカ６３から出力される音声を聞き取りやすくなるので、基地局通信装置３２の使用者の利便性を向上することができる。
【００６６】
図５は、マイク４１に入力される音声を表す音声信号の音声特性の調整処理に関する移動局側制御部５３の処理手順を示すフローチャートである。移動局通信装置３１に電源が投入されて起動している条件で音声特性の調整処理が開始する。音声特性の調整処理は、移動局側制御部５３によって実行される。音声特性の調整処理の開始後、ステップｃ１に移行する。
【００６７】
ステップｃ１では、使用者データ、環境データおよび種別データのうち少なくともいずれか１つを、高周波送信部４８を介して移動局用アンテナ４９から基地局通信装置３２に送信させて、ステップｃ２に移行する。
【００６８】
ステップｃ２では、移動局用アンテナ４９によって音声パラメータを受信しているか否かを判断し、受信していればステップｃ３に移行し、受信していなければ受信するまで待機する。
【００６９】
ステップｃ３では、移動局用アンテナ４９によって受信した音声パラメータ、具体的には利得データに基づいて、マイク４１から与えられる音声信号の利得を利得調整部４２に調整させ、周波数特性データに基づいて、マイク４１から与えられる音声信号の周波数特性を周波数特性調整部４３に調整させる。ステップｃ３の処理の終了後は、すべての処理手順を終了する。図５に示すフローチャートのステップｃ３は、特性調整工程に相当する。
【００７０】
図６は、音声パラメータの送信処理に関する基地局側制御部６６の処理手順を示すフローチャートである。基地局通信装置３２に電源が投入されて起動している条件で音声パラメータの送信処理が開始する。音声パラメータの送信処理は、基地局側制御部６６によって実行される。音声パラメータの送信処理の開始後、ステップｄ１に移行する。
【００７１】
ステップｄ１では、基地局用アンテナ６１によって、使用者データ、環境データおよび種別データのうち少なくともいずれか１つを受信しているか否かを判断し、受信していればステップｄ２に移行し、受信していなければすべての処理手順を終了する。
【００７２】
ステップｄ２では、基地局用アンテナ６１によって受信した使用者データ、環境データおよび種別データのうち少なくともいずれか１つのデータに対応付けられた音声パラメータを、基地局側記憶部６５から読出して、ステップｄ３に移行する。
【００７３】
ステップｄ３では、基地局側記憶部６５から読出した音声パラメータを、基地局側通信部６２を介して基地局用アンテナ６１から移動局通信装置３１に送信させる。ステップｄ３の処理の終了後は、すべての処理手順を終了する。
【００７４】
前述のように本実施の形態の通信システム３０によれば、基地局通信装置３２の基地局側記憶部６５には、移動局通信装置３１の使用者データ、環境データおよび種別データと、これらのデータにそれぞれ対応付けられ、マイク４１によって入力された音声を表す音声信号の音声特性を調整するための音声パラメータとが記憶される。基地局通信装置３２が、移動局通信装置３１から送信される使用者データ、環境データおよび種別データのうち少なくともいずれか１つのデータを受信すると、基地局側通信部６２は、前記受信したデータに対応付けられた音声パラメータを基地局側記憶部６５から読出して移動局通信装置３１に送信するように、基地局側制御部６６によって制御される。
【００７５】
移動局通信装置３１は、移動局用アンテナ４９および高周波受信部５０が、基地局通信装置３２から音声信号の音声特性を表す音声パラメータを受信したとき、この受信した音声パラメータに基づいて、マイク４１によって入力された音声を表す音声信号の音声特性、具体的には音声信号の利得が利得調整部４２によって調整され、音声信号の周波数特性が周波数特性調整部４３によって調整される。
【００７６】
したがって移動局通信装置３１では、使用者、使用環境およびマイク４１の種別に応じた音声パラメータに基づいて、マイク４１によって入力された音声を表す音声信号の利得および周波数特性を調整することができる。したがって移動局通信装置３は、前記のように移動局通信装置３１の使用者、使用環境およびマイク４１の種別に応じて利得および周波数特性が調整された音声信号を基地局通信装置３２に送信することによって、基地局通信装置３２では、移動局通信装置３１からの音声信号を受信し、受信した音声信号が表す音声をスピーカ６３から出力することができる。
【００７７】
これによって基地局通信装置３２の使用者は、スピーカ６３から出力される音声、具体的には移動局通信装置３１の使用者、使用環境およびマイク４１の種別に応じて利得および周波数特性が調整された音声信号が表す音声を聞くことができる。
【００７８】
これによって基地局通信装置３２のスピーカ６３から出力される音声の品質が、移動局通信装置３１の利得調整部４２および周波数特性調整部４３によって利得および周波数特性が調整される前の音声信号が表す音声に比べて向上することができる。これによって基地局通信装置３２の使用者は、移動局通信装置３１の利得調整部４２および周波数特性調整部４３によって利得および周波数特性が調整される前の音声信号が表す音声がスピーカ６３から出力される場合に比べて、スピーカ６３から出力される音声をさらに聞き取りやすくなる。これによって基地局通信装置３２の使用者の利便性を格段に向上することができる。
【００７９】
前述の図２に示す実施の形態では、車両に搭載され、移動可能に構成される移動局通信装置３１と、配車センタに備えられる基地局通信装置３２とが、相互に無線通信可能に構成される通信システム３０について説明したが、通信システム３０の構成は、必ずしもこのような構成に限定されない。本発明の実施の他の形態の通信システムは、車両に搭載され、移動可能に構成される一方側移動局通信装置と、他方側移動局通信装置とを有し、各移動局通信装置が、相互に無線通信可能に構成されていてもよい。
【００８０】
次に、一方側移動局通信装置と他方側移動局通信装置とが相互に無線通信可能に構成される本発明の実施の他の形態の通信システムについて説明する。各移動局通信装置の構成は、前述の図２に示す実施の形態の移動局通信装置３１と類似しているので、対応する構成には同一の参照符を付して説明する。
【００８１】
本実施の形態の通信システムを構築する各移動局通信装置は、前述の実施の形態の移動局通信装置３１の構成に、さらに音声を出力するスピーカと、音声パラメータが入力されるデータ入力部とを備える構成である。本実施の形態では、移動局用アンテナ４９によって受信した音声信号が、復調部５１によって復調されてスピーカ６３に与えられ、音声信号の表す音声がスピーカ６３から出力される。
【００８２】
以下の通信システムの説明では、一方側移動局通信装置を構成する各ハードウェア資源を制御する制御部を「一方側移動局制御部」といい、他方側移動局通信装置を構成する各ハードウェア資源を制御する制御部を「他方側移動局制御部」という。また一方側移動局通信装置の記憶部を「一方側移動局記憶部」といい、他方側移動局通信装置の記憶部を「他方側移動局記憶部」という。
【００８３】
図７は、マイク４１に入力される音声を表す音声信号の音声特性の調整処理に関する一方側移動局制御部の処理手順を示すフローチャートである。移動局通信装置３１に電源が投入されて起動している条件で、音声特性の調整処理が開始する。音声特性の調整処理は、一方側移動局制御部によって実行される。音声特性の調整処理の開始後、ステップｅ１に移行する。
【００８４】
ステップｅ１では、一方側移動局通信装置の使用者を表す使用者データ、具体的には乗務員番号データを、高周波送信部４８を介して移動局用アンテナから他方側移動局通信装置に送信させて、ステップｅ２に移行する。ステップｅ２では、マイク４１によって入力された音声を表す音声信号を、高周波送信部４８を介して高周波送信部４８を介して移動局用アンテナから他方側移動局通信装置に送信させて、ステップｅ３に移行する。
【００８５】
ステップｅ３では、一方側移動局記憶部に、使用者データに対応する音声パラメータが記憶されているか否かを判断し、記憶されていればステップｅ４に移行し、記憶されていなければステップｅ８に移行する。
【００８６】
ステップｅ４では、一方側移動局記憶部から、使用者データに対応する音声パラメータを読出して、ステップｅ５に移行する。ステップｅ５では、一方側移動局記憶部から読出した音声パラメータ、具体的には利得データに基づいて、マイク４１から与えられる音声信号の利得を利得調整部４２に調整させ、周波数特性データに基づいて、マイク４１から与えられる音声信号の周波数特性を周波数特性調整部４３に調整させて、ステップｅ６に移行する。
【００８７】
ステップｅ６では、通話終了キーが操作されたか否かを判断し、操作されていればステップｅ７に移行し、操作されていなければ操作されるまで待機する。通話終了キーが操作されるまでは、マイク４１によって入力された音声を表す音声信号を、他方側移動局通信装置に送信することが可能である。
【００８８】
ステップｅ７では、他方側移動局通信装置の使用者との通話を終了することを表す通話終了情報を、高周波送信部４８を介して移動局用アンテナ４９から他方側移動局通信装置に送信させる。ステップｅ７の処理の終了後、すべての処理手順を終了する。
【００８９】
ステップｅ８では、移動局用アンテナ４９によって音声パラメータを受信しているか否かを判断し、受信していればステップｅ９に移行し、受信していなければステップｅ１０に移行する。ステップｅ９では、移動局用アンテナ４９によって受信した音声パラメータ、具体的には利得データに基づいて、マイク４１から与えられる音声信号の利得を利得調整部４２に調整させ、周波数特性データに基づいて、マイク４１から与えられる音声信号の周波数特性を周波数特性調整部４３に調整させて、ステップｅ１０に移行する。
【００９０】
ステップｅ１０では、通話終了キーが操作されたか否かを判断し、操作されていればステップｅ１１に移行し、操作されていなければステップｅ８に戻る。
【００９１】
ステップｅ１１では、他方側移動局通信装置の使用者との通話を終了することを表す通話終了情報を、高周波送信部４８を介して移動局用アンテナ４９から他方側移動局通信装置３１に送信させて、ステップｅ１２に移行する。ステップｅ１２では、他方側移動局通信装置の使用者データと、移動局用アンテナ４９によって受信した音声パラメータとを対応付けて、一方側移動局記憶部に記憶させる。ステップｅ１２の処理の終了後、すべての処理手順を終了する。図７に示すフローチャートのステップｅ２は、音声入力工程に相当し、ステップｅ５およびステップｅ９は、特性調整工程に相当する。
【００９２】
図８は、音声パラメータの送信処理に関する他方側移動局制御部の処理手順を示すフローチャートである。他方側移動局通信装置に電源が投入されて起動している条件で、音声パラメータの送信処理が開始する。音声パラメータの送信処理は、他方側移動局制御部によって実行される。音声パラメータの送信処理の開始後、ステップｆ１に移行する。
【００９３】
ステップｆ１では、移動局用アンテナ４９によって音声信号を受信しているか否かを判断し、受信していればステップｆ２に移行し、受信していなければすべての処理手順を終了する。ステップｆ２では、移動局用アンテナ４９によって受信した音声信号が表す音声をスピーカ６３から出力させて、ステップｆ３に移行する。
【００９４】
ステップｆ３では、一方側移動局通信装置の使用者データを受信し、かつデータ入力部６７によって音声パラメータが入力されているか否かを判断し、条件を満たしていればステップｆ４に移行し、満たしていなければステップｆ５に移行する。ステップｆ４では、データ入力部６７によって入力された音声パラメータを、高周波送信部４８を介して移動局用アンテナ４９から一方側移動局通信装置に送信させて、ステップｆ５に移行する。
【００９５】
ステップｆ５では、移動局用アンテナ４９によって通話終了情報を受信しているか否かを判断し、受信していればすべての処理手順を終了し、受信していなければステップｆ３に戻る。
【００９６】
前述のように本実施の形態の通信装置および通信方法によれば、他方側移動局通信装置のデータ入力部６７によって音声信号の音声特性を表す音声パラメータ、具体的には利得データおよび周波数特性データが入力されると、高周波送信部４８は、前記入力された音声パラメータを一方側移動局通信装置に送信するように、他方側移動局制御部によって制御される。一方側移動局通信装置の移動局用アンテナ４９および高周波受信部５０が、他方側移動局通信装置から音声信号の音声特性を表す音声パラメータを受信したとき、この受信した音声パラメータに基づいて、マイク４１によって入力された音声を表す音声信号の音声特性、具体的には音声信号の利得が利得調整部４２によって調整され、音声信号の周波数特性が周波数特性調整部４３によって調整される。
【００９７】
したがって一方側移動局通信装置は、利得調整部４２によって利得が調整され、周波数特性調整部４３によって周波数特性が調整された音声信号を、他方側移動局通信装置に送信することによって、他方側移動局通信装置では、音声信号の音声特性である利得および周波数特性が調整された音声信号を受信し、この受信した音声信号が表す音声をスピーカ６３から出力することが可能となる。
【００９８】
したがって他方側移動局通信装置のスピーカ６３から出力される音声の品質を、一方側移動局通信装置の利得調整部４２および周波数特性調整部４３によって利得および周波数特性が調整される前の音声信号が表す音声に比べて向上することができる。
【００９９】
これによって他方側移動局通信装置の使用者は、一方側移動局通信装置の利得調整部４２および周波数特性調整部４３によって利得および周波数特性が調整される前の音声信号が表す音声がスピーカ６３から出力される場合に比べて、スピーカ６３から出力される音声を聞き取りやすくなるので、他方側移動局通信装置の使用者の利便性を向上することができる。
【図面の簡単な説明】
【０１００】
【図１】従来のデジタル無線機１の構成を簡略化して示すブロック図である。
【図２】本発明の実施の一形態である通信システム３０の電気的構成を示すブロック図である。
【図３】マイク４１に入力される音声を表す音声信号の音声特性の調整処理に関する移動局側制御部５３の処理手順を示すフローチャートである。
【図４】音声パラメータの送信処理に関する基地局側制御部６６の処理手順を示すフローチャートである。
【図５】マイク４１に入力される音声を表す音声信号の音声特性の調整処理に関する移動局側制御部５３の処理手順を示すフローチャートである。
【図６】音声パラメータの送信処理に関する基地局側制御部６６の処理手順を示すフローチャートである。
【図７】マイク４１に入力される音声を表す音声信号の音声特性の調整処理に関する一方側移動局制御部の処理手順を示すフローチャートである。
【図８】音声パラメータの送信処理に関する他方側移動局制御部の処理手順を示すフローチャートである。
【符号の説明】
【０１０１】
３０  通信システム
３１  移動局通信装置
３２  基地局通信装置
４１  マイクロフォン
４２  利得調整部
４３  周波数特性調整部
４４  ＰＣＭコーディック部
４６  音声コーディック部
４７  デジタル変調部
４８  高周波送信部
４９  移動局用アンテナ
５０  高周波受信部
５１  復調部
５２  移動局側データ処理部
５３  移動局側制御部
５５  データ入出力部
５６  移動局側記憶部
６１  基地局用アンテナ
６２  基地局側通信部
６３  スピーカ
６４  基地局側データ処理部
６５  基地局側記憶部
６６  基地局側制御部
６７  データ入力部
【図１】
2008103960.tif 000003
【図２】
2008103960.tif 000004
【図３】
2008103960.tif 000005
【図４】
2008103960.tif 000006
【図５】
2008103960.tif 000007
【図６】
2008103960.tif 000008
【図７】
2008103960.tif 000009
【図８】
2008103960.tif 000010